(57)【要約】【課題】複数の構成部品を一括して組み込むことにより、組立作業の効率を良好なものとすることができる電磁接触器を提供すること。【解決手段】操作用電磁石３０を構成する可動鉄心３２の変位に応じて、搭載した可動接触子４２ａを移動させる接触子ホルダ４０を備え、接触子ホルダ４０を操作用電磁石３０とともにケース１に収容して成る電磁接触器において、ケース１は、操作用電磁石３０を収容する下側ケース部１０と、接触子ホルダ４０を上方側から進入させて収容し、下側ケース部１０に積み重なる態様で下側ケース部１０に係合する上側ケース部２０とを備えたものである。特に上側ケース部２０は、上方に開口する凹部２１を備え、凹部２１の底壁上に接触子ホルダ４０を載置した状態で収容することが好ましく、下側ケース部１０は、直流専用電磁石３０ｂ及び交流専用電磁石３０ａのうち択一的に選択されたものを収容することが好ましい。【選択図】図１
2011044276.tif 000002
【特許請求の範囲】
【請求項１】
電磁石を構成する可動鉄心の変位に応じて、搭載した可動接触子を移動させる接触子ホルダを備え、
前記接触子ホルダを前記電磁石とともに接触器本体に収容して成る電磁接触器において、
前記接触器本体は、
前記電磁石を収容する下側ケース部と、
前記接触子ホルダを上方側から進入させて収容し、前記下側ケース部に積み重なる態様で該下側ケース部に係合する上側ケース部と
を備えたことを特徴とする電磁接触器。
【請求項２】
前記接触器本体の上側ケース部は、上方に開口する凹部を備え、該凹部の底壁上に前記接触子ホルダを載置した状態で収容することを特徴とする請求項１に記載の電磁接触器。
【請求項３】
前記接触器本体の下側ケース部は、直流専用電磁石及び交流専用電磁石のうち択一的に選択されたものを収容することを特徴とする請求項１又は請求項２に記載の電磁接触器。
【請求項４】
前記接触器本体の上側ケース部は、前記下側ケース部に収容された電磁石を構成する可動鉄心と、前記接触子ホルダとを連係するレバー部材を自身の孔部に挿通させた態様で支持することを特徴とする請求項３に記載の電磁接触器。
【発明の詳細な説明】
【技術分野】
【０００１】
本発明は、電磁接触器に関し、より詳細には、電磁石を構成する可動鉄心の変位に応じて、搭載した可動接触子を移動させる接触子ホルダを、上記電磁石とともに接触器本体に収容して成る電磁接触器に関するものである。
【背景技術】
【０００２】
従来、操作用電磁石を構成する可動鉄心の変位に応じて、搭載した可動接触子を移動させる接触子ホルダを、上記操作用電磁石とともに接触器本体であるケースに収容して成る電磁接触器として、電磁接触器の接触器本体、つまり電磁接触器の外郭を構成するケースが、下側ケース部と、上側ケース部とを備えて成るものが知られている。
【０００３】
下側ケース部は、操作用電磁石を収容するためのものである。上側ケース部は、下側ケース部に積み重なる態様で該下側ケース部に係合して配設され、接触子ホルダを左右方向にスライド移動可能に案内支持した状態で収容するものである。そして、このような上側ケース部としては、接触子ホルダを下方側から挿入された状態で収容するのが一般的であった（例えば、特許文献１参照）。
【先行技術文献】
【特許文献】
【０００４】
【特許文献１】特開昭６４−４８３３９号公報
【発明の概要】
【発明が解決しようとする課題】
【０００５】
ところが、上述したような電磁接触器においては、接触器本体であるケースを構成する上側ケース部は、接触子ホルダを下方側から挿入された状態で収容するものであったために次のような問題があった。
【０００６】
電磁接触器の組立てを行う場合、下側ケース部に操作用電磁石を上方側から挿入し、これにより下側ケース部は操作用電磁石を上方側から挿入された状態で収容することになる。その後、操作用電磁石を上方側から挿入された状態で収容する下側ケース部に積み重なるよう上側ケース部を該下側ケース部に係合させることになるが、上側ケース部は接触子ホルダを下方側から挿入された状態で収容するものであるため、上側ケース部を一旦反転させて倒置姿勢にして接触子ホルダを進入させて収容させたものを再度反転させてから下側ケース部に係合させることになる。つまり、電磁接触器の組立てにおいては、上側ケース部を反転させる工程が必要になり、そのために組立工程の煩雑なものとなっていた。
【０００７】
本発明は、上記実情に鑑みて、複数の構成部品を一括して組み込むことにより、組立作業の効率を良好なものとすることができる電磁接触器を提供することを目的とする。
【課題を解決するための手段】
【０００８】
上記目的を達成するために、本発明の請求項１に係る電磁接触器は、電磁石を構成する可動鉄心の変位に応じて、搭載した可動接触子を移動させる接触子ホルダを備え、前記接触子ホルダを前記電磁石とともに接触器本体に収容して成る電磁接触器において、前記接触器本体は、前記電磁石を収容する下側ケース部と、前記接触子ホルダを上方側から進入させて収容し、前記下側ケース部に積み重なる態様で該下側ケース部に係合する上側ケース部とを備えたことを特徴とする。
【０００９】
また、本発明の請求項２に係る電磁接触器は、上述した請求項１において、前記接触器本体の上側ケース部は、上方に開口する凹部を備え、該凹部の底壁上に前記接触子ホルダを載置した状態で収容することを特徴とする。
【００１０】
また、本発明の請求項３に係る電磁接触器は、上述した請求項１又は請求項２において、前記接触器本体の下側ケース部は、直流専用電磁石及び交流専用電磁石のうち択一的に選択されたものを収容することを特徴とする。
【００１１】
また、本発明の請求項４に係る電磁接触器は、上述した請求項３において、前記接触器本体の上側ケース部は、前記下側ケース部に収容された電磁石を構成する可動鉄心と、前記接触子ホルダとを連係するレバー部材を自身の孔部に挿通させた態様で支持することを特徴とする。
【発明の効果】
【００１２】
本発明によれば、接触器本体を構成し、かつ電磁石を収容する下側ケース部に積み重なる態様で係合する上側ケース部が、接触子ホルダを上方側から進入させて収容するので、電磁接触器の組立てにおいて、下側ケース部、電磁石、上側ケース部の順に構成部品をいわゆる落とし込みにより組み込めば良く、従来のように上側ケース部を反転させる必要がない。従って、複数の構成部品を一括して組み込むことにより、組立作業の効率を良好なものとすることができるという効果を奏する。
【図面の簡単な説明】
【００１３】
【図１】図１は、本発明の実施の形態である電磁接触器の構成要素を示す分解斜視図である。
【図２】図２は、図１に示した上側ケース部に収容される接触子ホルダの構成要素を示す分解斜視図である。
【図３】図３は、本発明の実施の形態の電磁接触器の一例を示すものであり、正面側から見た断面図である。
【図４】図４は、下側ケース部に操作用電磁石として直流専用電磁石を択一的に選択して収容した場合の電磁接触器の構成を示すものであり、正面側から見た断面図である。
【発明を実施するための形態】
【００１４】
以下に添付図面を参照して、本発明に係る電磁接触器の好適な実施の形態について詳細に説明する。
【００１５】
図１は、本発明の実施の形態である電磁接触器の構成要素を示す分解斜視図である。ここで例示する電磁接触器は、接触器本体となるケース、すなわち装置の外郭を成すケース１を備えている。ケース１は、例えば樹脂材等を適宜加工して形成されたものであり、下側ケース部１０及び上側ケース部２０を備えて構成してある。
【００１６】
下側ケース部１０は、上方が開口する有底の箱状を成し、内部の中空部１１に操作用電磁石３０を収容するものである。この下側ケース部１０は、操作用電磁石３０として交流専用電磁石３０ａ及び直流専用電磁石３０ｂの双方を別個に収容可能であり、交流専用電磁石３０ａ及び直流専用電磁石３０ｂのうち択一的に選択されたものを収容するものである。このような下側ケース部１０の前壁１２及び後壁１３の上端には、上側ケース部２０と係合するためのスナップフィット係合手段を構成する下側係合片１４が上方に突出する態様で設けてある。尚、以下においては、下側ケース部１０が交流専用電磁石３０ａを操作用電磁石３０として収容するものとして説明する。
【００１７】
下側ケース部１０に収容される操作用電磁石３０（交流専用電磁石３０ａ）は、固定鉄心３１と可動鉄心３２とが左右に向き合うように配設されている。図中の符号３３は、装着孔であり、電磁コイル３４から引き出したねじ端子（制御端子）が装着されるためのものである。可動鉄心３２には、図３にも明示するように、操作レバー５０の先端部が挿入するための挿入孔３５が形成してある。
【００１８】
上側ケース部２０は、上方に開口する凹部２１を有したものであり、その前壁２２及び後壁２３の下端には、下側ケース部１０の下側係合片１４とともにスナップフィット係合手段を構成し、該下側係合片１４と係合する上側係合片２４が下方に突出する態様で設けてある。かかる上側係合片２４が下側係合片１４と係合することにより、上側ケース部２０は、下側ケース部１０に積み重なる態様で係合して配設される。
【００１９】
上側ケース部２０の凹部２１には、上方から進入した接触子ホルダ４０が該凹部２１の底壁上に載置されて収容されている。つまり、上側ケース部２０は、上方側から進入させた接触子ホルダ４０を凹部２１の底壁上に載置させた状態で収容してある。
【００２０】
また上側ケース部２０には、詳細は後述する接触子ホルダ４０の可動接触子４２ａの配列にあわせて前後方向に張り出す隔壁バリア２５が形成してあり、この隔壁バリア２５の間に形成した端子台部２６に固定接触子２７の端子部を引き出してここに端子ねじ２８を螺設してある。
【００２１】
このような上側ケース部２０には、右端側に孔部２９が形成してある。この孔部２９は、先端部が可動鉄心３２の挿入孔３５に挿入される操作レバー５０（図３参照）を挿通させて支持するためのものである。
【００２２】
図２は、上側ケース部２０に収容される接触子ホルダ４０の構成要素を示す分解斜視図である。ここで例示するように、上側ケース部２０に収容される接触子ホルダ４０は、例えば樹脂材等を適宜加工して形成されたものであり、接触子ホルダベース部４０ａと、接触子ホルダカバー４０ｂとを備えて構成してある。
【００２３】
接触子ホルダベース部４０ａは、上面が開放されており、複数（図示の例では４つ）の凹所４１が左右に並んで画成してある。これら凹所４１には、可動接触子４２ａが接触スプリング４２ｂと組み合わせられた複数組（図示の例では４組）のユニットが上方から進入して組み付けられている。ここで図示の可動接触子４２ａのうち、左側の２組がａ接点、右側の２組がｂ接点である。尚、隣接する凹所４１の相互間には絶縁バリア４３が前後方向に張り出して形成してある。
【００２４】
また、接触子ホルダベース部４０ａには、右側端部に操作レバー５０を挿入させるためのレバー用挿通孔４４が形成してある。
【００２５】
接触子ホルダカバー４０ｂには、接触子ホルダベース部４０ａの上面に被着した状態で接触子ホルダベース部４０ａに係合するスナップフィット係合手段として、接触子ホルダベース部４０ａに上下方向に設けられた貫通孔４０ａ１に挿入し、先端が底部に係合する係合爪二股脚状の係合片４０ｂ１、並びに接触子ホルダベース部４０ａの左右端面に開口した係合孔４０ａ２に係合する係合突起４０ｂ２が形成してある。尚、図中の符号４５は、電磁接触器の動作表示用突起である。
【００２６】
このような接触子ホルダベース部４０ａに上方から接触子ホルダカバー４０ｂを被せて押し込むことにより、接触子ホルダカバー４０ｂの係合片４０ｂ１が貫通孔４０ａ１を貫通して先端の爪が接触子ホルダベース部４０ａの底壁に係合するとともに、接触子ホルダカバー４０ｂの係合突起４０ｂ２が接触子ホルダベース部４０ａの両端壁に設けた係合孔４０ａ２に進入して係合して、接触子ホルダベース部４０ａと接触子ホルダカバー４０ｂとが機械的に強固に結合されて、一体的な接触子ホルダ４０となる。
【００２７】
図１中の符号Ｓは、接触子ホルダ４０の復帰ばね（圧縮コイルばね）であり、上側ケース部２０の側壁と接触子ホルダ４０の左端面との間に介在して接触子ホルダ４０を右側の待機位置に向けて押圧付勢している。このとき接触子ホルダ４０のレバー用挿通孔４４、上側ケース部２０の孔部２９、並びに操作用電磁石３０の可動鉄心３２の挿入孔３５は前後方向の一直線上に配置されるよう調整してある。
【００２８】
そして、一直線上に配置された挿入孔３５、孔部２９及びレバー用挿通孔４４に先端が挿入孔３５に挿入されるよう操作レバー５０を進入させた後、カバー部材６０を上側ケース部２０の上方を覆う態様で該上側ケース部２０に係合させることにより、図３に示すような電磁接触器が構成されることになる。ここで、図３は、本発明の実施の形態の電磁接触器の一例を示すものであり、正面側から見た断面図である。
【００２９】
このような構成の電磁接触器では、図３に示すように、復帰ばねＳに付勢されて接触子ホルダ４０が右側の待機位置に位置している。このとき、接触子ホルダ４０の可動接触子４２ａのうちｂ接点を構成するものは、上側ケース部２０の固定接触子２７に電気的に接続され閉極している一方、ａ接点を構成するものは、上側ケース部２０の固定接触子２７と開極している。
【００３０】
この状態から外部指令により操作用電磁石３０の電磁コイル３４に通電して励磁すると、可動鉄心３２が固定鉄心３１に吸引される。すなわち図３において、可動鉄心３２が左方に向けてスライド変位する。すると、可動鉄心３２に操作レバー５０を介して連係された接触子ホルダ４０は、復帰ばねＳの付勢力に抗して左側にスライド移動し、これにより可動接触子４２ａが切換動作して、ｂ接点を構成するものは開極し、ａ接点を構成するものが上側ケース部２０の固定接触子２７に電気的に接続され閉極することになる。
【００３１】
ところで、図１において操作用電磁石３０として直流専用電磁石３０ｂを択一的に選択した場合には、次のようになる。ここで直流専用電磁石３０ｂは、固定鉄心３１ｂと可動鉄心３２ｂとが左右に向き合うように配設されており、かかる可動鉄心３２ｂには、操作レバー５１が連結してある。
【００３２】
このような直流専用電磁石３０ｂを収容した下側ケース部１０に接触子ホルダ４０を収容した上側ケース部２０が積み重なる態様で、しかも操作レバー５１が孔部２９及びレバー用挿通孔４４を通過するように係合し、その後カバー部材６０を上側ケース部２０の上方を覆う態様で該上側ケース部２０に係合させることにより、図４に示すような電磁接触器が構成されることになる。ここで、図４は、下側ケース部１０に操作用電磁石３０として直流専用電磁石３０ｂを択一的に選択して収容した場合の電磁接触器の構成を示すものであり、正面側から見た断面図である。
【００３３】
このような構成の電磁接触器では、図４に示すように、復帰ばねＳに付勢されて接触子ホルダ４０が右側の待機位置に位置している。このとき、接触子ホルダ４０の可動接触子４２ａのうちｂ接点を構成するものは、上側ケース部２０の固定接触子２７に電気的に接続され閉極している一方、ａ接点を構成するものは、上側ケース部２０の固定接触子２７と開極している。
【００３４】
この状態から外部指令により操作用電磁石３０の電磁コイル３４ｂに通電して励磁すると、可動鉄心３２ｂが固定鉄心３１ｂに吸引される。すなわち図４において、可動鉄心３２が左方に向けてスライド変位する。すると、可動鉄心３２ｂに操作レバー５１を介して連係された接触子ホルダ４０は、復帰ばねＳの付勢力に抗して左側にスライド移動し、これにより可動接触子４２ａが切換動作して、ｂ接点を構成するものは開極し、ａ接点を構成するものが上側ケース部２０の固定接触子２７に電気的に接続され閉極することになる。
【００３５】
以上説明したように、本実施の形態である電磁接触器によれば、ケース１を構成し、かつ下側ケース部１０に積み重なる態様で係合する上側ケース部２０が、接触子ホルダ４０を上方側から進入させて収容するので、電磁接触器の組立てにおいて、下側ケース部１０、操作用電磁石３０、上側ケース部２０の順に構成部品をいわゆる落とし込みにより組み込めば良く、従来のように上側ケース部２０を反転させる必要がない。従って、複数の構成部品を一括して組み込むことにより、組立作業の効率を良好なものとすることができる。
【００３６】
特に、上側ケース部２０には、下側ケース部１０に収容された操作用電磁石３０を構成する可動鉄心３２と、接触子ホルダ４０とを連係するレバー部材を自身の孔部２９に挿通させた態様で支持するので、操作レバー５０を操作用電磁石３０や接触子ホルダ４０に連結させなくても、電磁接触器の組立てにおいて、操作レバー５０をいわゆる落とし込みにより挿通させれば良く、これにより組立作業の効率をより良好なものとすることができる。
【００３７】
また、本実施の形態である電磁接触器によれば、ケース１を構成する下側ケース部１０が、交流専用電磁石３０ａ及び直流専用電磁石３０ｂのうち択一的に選択されたものを操作用電磁石３０として収容するので、従来のように直流専用電磁石３０ｂのみを操作用電磁石３０とすることなく、様々な用途に応じて操作用電磁石３０を適用することができる。
【符号の説明】
【００３８】
１  ケース
１０  下側ケース部
１１  中空部
１２  前壁
１３  後壁
１４  下側係合片
２０  上側ケース部
２１  凹部
２２  前壁
２３  後壁
２４  上側係合片
２５  隔壁バリア
２６  端子台部
２７  固定接触子
２８  端子ねじ
２９  孔部
３０  操作用電磁石
３０ａ  交流専用電磁石
３０ｂ  直流専用電磁石
３１，３１ｂ  固定鉄心
３２，３２ｂ  可動鉄心
３３  装着孔
３４  電磁コイル
３５  挿入孔
４０  接触子ホルダ
４０ａ  接触子ホルダベース部
４０ａ１  貫通孔
４０ａ２  係合孔
４０ｂ  接触子ホルダカバー
４０ｂ１  係合片
４０ｂ２  係合突起
４１  凹所
４２ａ  可動接触子
４２ｂ  接触スプリング
４３  絶縁バリア
４４  レバー用挿通孔
４５  動作表示用突起
５０  操作レバー
５１  操作レバー
６０  カバー部材
Ｓ  復帰ばね
【図１】
2011044276.tif 000003
【図２】
2011044276.tif 000004
【図３】
2011044276.tif 000005
【図４】
2011044276.tif 000006